(57)【要約】【課題】  油圧ショベルの長期間の使用によっても充填材の動きを抑止しつつ、カウンターウエイトのリサイクル性を向上する。【解決手段】  容器体によって構成されたカウンターウエイト本体４２に鉄製の充填材５２を充填する。この充填材５２は、鉄系材料によって構成された粒状体からなる。そして、充填材５２に蓋体４４を被せ、この蓋体４４によって充填材５２に押え付けて圧縮し、その状態で蓋体４４をカウンターウエイト本体４２の側部４８に溶接する。【選択図】      図２
2005264431.tif 000002
【特許請求の範囲】
【請求項１】
充填材が充填され、作業機械に搭載するためのカウンターウエイトを製造する方法であって、
容器体によって構成されたカウンターウエイト本体に鉄製の充填材を充填する工程と、
前記充填材に蓋体を被せて、この蓋体を充填材に押し付けることにより充填材を圧縮する押し付け工程と、
前記充填材が圧縮された状態で蓋体をカウンターウエイト本体に固定する蓋体固定工程とを含む作業機械用カウンターウエイトの製造方法。
【請求項２】
前記押し付け工程では、前記充填材に被せた蓋体をプレス機によって充填材に押し付けることにより充填材を圧縮する請求項１に記載の作業機械用カウンターウエイトの製造方法。
【請求項３】
前記押し付け工程では、前記充填材に被せた蓋体をその自重によって充填材に押し付けることにより充填材を圧縮する請求項１に記載の作業機械用カウンターウエイトの製造方法。
【請求項４】
前記押し付け工程では、前記充填材に被せた蓋体をカウンターウエイト本体の底部とボルト締結して、その締結力によって蓋体を充填材に押し付けることにより充填材を圧縮する請求項１に記載の作業機械用カウンターウエイトの製造方法。
【請求項５】
前記押し付け工程では、前記充填材に被せた蓋体を前記カウンターウエイト本体の内側に入り込ませて充填材を押し付けることにより充填材を圧縮する請求項１から４の何れか１項に記載の作業機械用カウンターウエイトの製造方法。
【請求項６】
前記カウンターウエイト本体と蓋体は鉄製であり、
前記蓋体固定工程では、前記充填材が圧縮された状態で蓋体をカウンターウエイト本体に溶接する請求項１から３の何れか１項に記載の作業機械用カウンターウエイトの製造方法。
【請求項７】
前記蓋体には貫通孔が設けられており、
前記蓋体の貫通孔を溶加材で塞ぐ状態で蓋体と充填材とを溶接する工程を含む請求項６に記載の作業機械用カウンターウエイトの製造方法。
【請求項８】
前記充填材は、鉄系の材料によって構成された粒状体又は粉状体からなる請求項１から７の何れか１項に記載の作業機械用カウンターウエイトの製造方法。
【請求項９】
前記充填材を充填するとき又は充填した後の少なくとも一方において、カウンターウエイト本体を振動させる請求項８に記載の作業機械用カウンターウエイトの製造方法。
【請求項１０】
充填材が充填され、作業機械に搭載するためのカウンターウエイトであって、
容器体によって構成されたカウンターウエイト本体と、
前記カウンターウエイト本体に充填された鉄製の前記充填材と、
前記充填材に被せられた蓋体とを備え、
前記蓋体は、前記充填材へ押え付けられることによりこの充填材を圧縮し、その状態でカウンターウエイト本体に固定されている作業機械用カウンターウエイト。
【請求項１１】
前記蓋体は、前記カウンターウエイト本体の底部とボルト締結され、その締結力によって前記充填材へ押え付けられている請求項１０に記載の作業機械用カウンターウエイト。
【請求項１２】
前記蓋体は鉄製で且つ貫通孔が設けられ、この蓋体は、貫通孔が溶加材で塞がれた状態で充填材と溶接されている請求項１０又は１１に記載の作業機械用カウンターウエイト。
【請求項１３】
前記充填材は、鉄系の材料によって構成された粒状体又は粉状体からなる請求項１０から１２の何れか１項に記載の作業機械用カウンターウエイト。
【請求項１４】
請求項１０から１３の何れか１項に記載の作業機械用カウンターウエイトを備えた作業機械。
【発明の詳細な説明】
【技術分野】
【０００１】
本発明は、油圧ショベル、クレーン等の作業機械に設置されるカウンターウエイト、その製造方法及びそのカウンターウエイトを備えた作業機械に関するものである。
【背景技術】
【０００２】
従来、油圧ショベル、クレーン等の作業機械には、動作作業時に機体の重量バランスを保持するためのおもりとしてのカウンターウエイトが搭載されている。このカウンターウエイトは、製缶製のものと鋳鉄製のものとがある。製缶製のものでは、鋼板からなる容器に充填材を充填したものである。この充填材は、一般に金属、鉄鉱石、鉄屑等の重量物をコンクリートで固めることで作業時等に動かないようになっている。
【０００３】
このようにコンクリートで重量物を固めたものではリサイクル性が悪いとの観点から、例えば下記特許文献１及び２には、充填材を鉄製のもののみで構成することが開示されている。例えば特許文献１には、鉄鉱石、鉄屑等の重量物間の隙間に鉄球材を詰めるようにしたものが開示されている。そして、同文献には、鉄球材が重量物の間の隙間に動きが抑制されるほど密に詰まって充填されると記載されている。一方、特許文献２には、充填材として鉄粉を用い、充填された鉄粉を締め固め用の振動装置によって締め固めることが記載されている。
【特許文献１】特開２００２−３６４０２３号公報
【特許文献２】特開２００３−４１６２８号公報
【発明の開示】
【発明が解決しようとする課題】
【０００４】
しかしながら、前記特許文献１のものでは、充填材を鉄製のもので構成することでリサイクル性を向上できるが、重量物の間の隙間に充填された鉄球材は、その動きが抑制されるほどに密に詰まっていると記載されているが、そのような記載しかないことから充填材の動きを完全に封じ込めるには限界があると考えられる。
【０００５】
また、前記特許文献２に記載されたものでは、締め固め用の振動装置を使用して鉄粉を高密度に締め固めて塊状にした充填材としているが、このものでは、充填時においては充填材が締め固められるものの、長期間使用されてもカウンターウエイト内での充填材の動きを封じ込めておくには限界があると考えられる。
【０００６】
そこで、本発明は、かかる点に鑑みてなされたものであり、その目的とするところは、カウンターウエイトのリサイクル性を向上しつつ、カウンターウエイト内での充填材の動きを十分に封じ込めることにある。
【課題を解決するための手段】
【０００７】
前記の目的を達成するため、本発明は、充填材が充填され、作業機械に搭載するためのカウンターウエイトを製造する方法を前提として、容器体によって構成されたカウンターウエイト本体に鉄製の充填材を充填する工程と、前記充填材に蓋体を被せて、この蓋体を充填材に押し付けることにより充填材を圧縮する押し付け工程と、前記充填材が圧縮された状態で蓋体をカウンターウエイト本体に固定する蓋体固定工程とを含む。
【０００８】
このカウンターウエイト製造方法では、充填材を圧縮するのに用いた蓋体をカウンターウエイト本体に固定するようにしているので、蓋体を充填材へ押し付けるのと同時に固定することが可能となる。このため、カウンターウエイト内で充填材が動いたり、充填材の状態が変化したりするのを抑止できる程度に充填材を十分に押え付けておくことができる。そして、蓋体がカウンターウエイト本体に固定されているので、長期間の使用によっても充填材が移動不能な状態を維持することができる。
【０００９】
また、蓋体の固定を解除すれば充填材をカウンターウエイト本体から取り出すことが可能であり、しかも充填材を鉄製としていることから充填材を取り出すのみでカウンターウエイトのリサイクルが可能となる。
【００１０】
前記押し付け工程では、前記充填材に被せた蓋体をプレス機によって充填材に押し付けることにより充填材を圧縮する構成や、前記充填材に被せた蓋体をその自重によって充填材に押し付けることにより充填材を圧縮する構成や、或いは前記充填材に被せた蓋体をカウンターウエイト本体の底部とボルト締結して、その締結力によって蓋体を充填材に押し付けることにより充填材を圧縮する構成とすることが可能である。このようにすれば、長期間の使用によってもカウンターウエイト内で充填材が動いたり、充填材の状態が変化したりするのを抑止できる程度に充填材を確実に押え付けておくことができる。カウンターウエイト本体と蓋体とをボルト締結する場合には簡易な方法で製造でき、またボルト締結を解除するのみで蓋体の固定を解除できるので、リサイクル時等に蓋体を簡単に取り外すことができる。
【００１１】
また、前記押し付け工程では、前記充填材に被せた蓋体を前記カウンターウエイト本体の内側に入り込ませて充填材へ押し付けることにより充填材を圧縮することが可能である。このようにすれば、蓋体で充填材を押え付ける際に蓋体がカウンターウエイト本体による支持を受けながら充填材を押え付けることができるために、充填材が動いたり、充填材の状態が変化したりするのを抑止できる程度に確実に充填材を圧縮することができる。
【００１２】
前記カウンターウエイト本体と蓋体が鉄製の場合には、前記蓋体固定工程では、前記充填材が圧縮された状態で蓋体をカウンターウエイト本体に溶接することが可能である。このようにすれば、充填材が圧縮された状態が維持できるように蓋体を確実にカウンターウエイト本体に固定することができる。
【００１３】
この場合において、前記蓋体に貫通孔を設け、前記蓋体の貫通孔を溶加材で塞ぐ状態で蓋体と充填材とを溶接する工程を含む構成としてもよい。このようにすれば、充填材の一部が蓋体に固着されてその動きが拘束されるので、蓋体による押圧力を低減しても、カウンターウエイト内で充填材が動いたり、充填材の状態が変化したりするのを抑止できる程度に充填材を十分に押え付けておくことができるようになる。
【００１４】
前記充填材が鉄系の材料によって構成された粒状体又は粉状体からなる構成とすれば、充填材が圧密状態となるような蓋体による押圧力を容易に制御することができる。この結果、必要以上の押圧力をかけなくても充填材が移動したり状態が変化したりするのを抑止できる程度に充填材を押え付けておくことができる。また、充填材が粒状体又は粉状体によって構成されているので、蓋体の固定を解除すれば容易に充填材を取り出すことができる。
【００１５】
前記充填材を充填するとき又は充填した後の少なくとも一方において、カウンターウエイト本体を振動させるようにすれば、充填材を容易且つ確実に圧密状態に装填することができる。
【００１６】
また、本発明は、充填材が充填され、作業機械に搭載するためのカウンターウエイトを前提として、容器体によって構成されたカウンターウエイト本体と、前記カウンターウエイト本体に充填された鉄製の前記充填材と、前記充填材に被せられた蓋体とを備え、前記蓋体は、前記充填材へ押え付けられることによりこの充填材を圧縮し、その状態でカウンターウエイト本体に固定されている構成としてもよい。
【００１７】
このカウンターウエイトにおいて、前記蓋体は、前記カウンターウエイト本体の底部とボルト締結され、その締結力によって前記充填材へ押え付けられている構成としてもよい。
【００１８】
また、このカウンターウエイトにおいて、前記蓋体が鉄製のときには、この蓋体は、貫通孔が設けられ、この貫通孔が溶加材で塞がれた状態で充填材と溶接されている構成としてもよい。
【００１９】
また、このカウンターウエイトにおいて、前記充填材は、鉄系の材料によって構成された粒状体又は粉状体からなる構成としてもよい。
【００２０】
そして、前記カウンターウエイト本体を備えて作業機械とすれば、前記カウンターウエイト及びその製造方法による作用効果を有効に発揮させることができる。
【発明の効果】
【００２１】
以上説明したように、本発明によれば、蓋体を充填材に押し付けることにより充填材を圧縮し、その状態で蓋体をカウンターウエイト本体に固定するようにしているので、充填材の動きが十分に封じ込められ且つリサイクル性を向上したカウンターウエイトを得ることができる。
【発明を実施するための最良の形態】
【００２２】
以下、本発明を実施するための最良の形態について図面を参照しながら詳細に説明する。
【００２３】
（実施形態１）
図１は本発明の第１の実施形態に係る作業機械としてのクローラ式油圧ショベル１０の全体構成を示している。同図に示すように、油圧ショベル１０の車体（本体）は、下部走行体１１と、この下部走行体１１の上端部に旋回可能に設けられた上部旋回体１２とより構成されている。
【００２４】
下部走行体１１は、左右のクローラフレーム１４及びクローラ（いずれも片側のみ図示）１５からなり、両側クローラ１５が、左右の走行モータ１６により個別に回転駆動されて走行する。
【００２５】
上部旋回体１２は、旋回フレーム１７、運転室１８、機械室１９等からなる。運転室１８は旋回フレーム１７の前部に設けられ、機械室１９はこの運転室１８の後方に配置されている。機械室１９には、図示しない油圧ポンプ等を駆動するためのエンジン等が配置されている。
【００２６】
上部旋回体１２の前端部には作業腕２１とブームシリンダ２３とが設けられている。このブームシリンダ２３は前記油圧ポンプから供給される作動油により伸縮動作するように構成されるものであり、このブームシリンダ２３の伸縮動作により、作業腕２１を起伏させるようになっている。
【００２７】
作業腕２１は、ブーム２５と、アーム２６と、バケット２７とからなる。ブーム２５には前記ブームシリンダ２３の先端部が結合されている。アーム２６は、ブーム２５の先端部にピン結合されていて、アームシリンダ２９の伸縮動作によって回動するようになっている。バケット２７は、アーム２６の先端部にピン結合されており、バケットシリンダ３１の伸縮動作によってリンク機構３３を介して回動するようになっている。
【００２８】
一方、前記機械室１９の後端部、即ち上部旋回体１２の後端部にはバランス保持用のおもりとしてのカウンターウエイト４０が配置されている。このカウンターウエイト４０は作業時等に車体がバランスを崩して転倒するのを防止すべく搭載されるものである。カウンターウエイト４０は、図２に示すように中空容器の中に充填材５２が充填された、いわゆる製缶タイプに構成されている。
【００２９】
中空容器は、上方が開放された容器体によって構成されたカウンターウエイト本体４２と、このカウンターウエイト本体４２の開口を塞ぐための蓋体４４とからなる。カウンターウエイト本体４２及び蓋体４４は、それぞれ鉄製である。カウンターウエイト本体４２は、底部４６と、この底部４６の外端部から起立する側部４８とを備えており，これら底部４６及び側部４８は一体的に形成されている。この底部４６と側部４８は、鋼板を溶接することで一体的に形成してもよく、例えば鋳造によって一体的に形成してもよい。
【００３０】
カウンターウエイト本体４２の底部４６には、車体前後方向に延びる一対の溝部５０が設けられている。この溝部５０は、カウンターウエイト４０を旋回フレーム１７に固定する際に、この旋回フレーム１７に突設された支持部（図示省略）に嵌合するためのものである。
【００３１】
カウンターウエイト本体４２の側部４８のうち車体前側に配置される前側部４８ａは、機械室１９の後端部形状に対応した形状に形成される一方、車体後側に配置される後側部４８ｂは、例えば平面視で湾曲した形状に形成されている。なお、図２は、側部４８の形状を概略的に示しているため、そのような側部４８ａ，４８ｂの具体的な形状は示されていない。
【００３２】
蓋体４４は、カウンターウエイト本体４２の側部４８における内周形状に対応した形状に構成されるものであり、カウンターウエイト本体４２の内側に入り込んだ状態に配置されている。そして、この状態で蓋体４４はカウンターウエイト本体４２の側部４８における内周面に溶接固定されている。
【００３３】
カウンターウエイト４０の内側には、前述したように充填材５２が充填されている。充填材５２は、鉄系の材料によって構成された粒状体からなるものである。この充填材５２は、カウンターウエイト４０内に圧密状態に充填されている。なお、充填材５２は、鉄製のものであればよく、例えば粉状体、スラブ、鉄屑等によって構成してもよい。
【００３４】
ここで、カウンターウエイト４０の製造方法について説明する。まず、カウンターウエイト本体４２を成形しておき、このカウンターウエイト本体４２に充填材５２を装填する。このとき、カウンターウエイト本体４２を振動しながら充填材５２を装填すると、充填材５２は圧密状態に装填されやすくなる。このようにして充填材５２をカウンターウエイト本体４２いっぱいに充填する。このとき充填材５２がカウンターウエイト本体４２から盛り上がるように充填してもよく、あるいはカウンターウエイト本体４２の内側に収まるように充填材５２を充填してもよい。
【００３５】
そして、充填材５２に蓋体４４を被せ、図外のプレス機によって所定の圧力でこの蓋体４４を下方へ押圧する。これにより、蓋体４４は、プレス機による押圧力を受けて充填材５２へ押え付けられながら下方へ移動し、カウンターウエイト本体４２の内側に入り込む。このとき蓋体４４は、カウンターウエイト本体４２の側部４８に沿って動く。これにより、充填材５２が圧縮されて圧密状態となる。尚、図２では、プレス機による押圧力を便宜的に白抜き矢印で示している。
【００３６】
そして、蓋体４４が沈み込んだ状態を維持しつつ、この状態で蓋体４４をカウンターウエイト本体４２の側部４８に溶接する。これにより、充填材５２の圧密状態が維持されることとなる。すなわち、カウンターウエイト本体４２は充填材５２を介してプレス機による押圧力を受けても容易に変形しないような剛性を有している。
【００３７】
したがって、本実施形態に係るカウンターウエイト４０の製造方法では、充填材５２を圧縮するのに用いた蓋体４４をカウンターウエイト本体４２に固定するようにしているので、蓋体４４を充填材５２へ押し付けるのと同時に固定することが可能となる。このため、カウンターウエイト４０内で充填材５２が動いたり、充填材５２の状態が変化したりするのを抑止できる程度に充填材５２を十分に押え付けておくことができる。換言すれば、蓋体４４で充填材５２を押え付けて圧縮し、充填材５２が圧縮された状態で蓋体４４を固定するので、充填材５２が動いたり状態変化したりするのを封じ込めることができる。そして、蓋体４４がカウンターウエイト本体４２に固定されているので、カウンターウエイト４０が長期間使用されても充填材５２が移動不能な状態を維持することができる。
【００３８】
また、蓋体４４を溶断する等、蓋体４４の固定を解除すれば充填材５２をカウンターウエイト本体４２から取り出すことが可能であり、充填材５２を鉄製としていることから、充填材５２を取り出すのみでカウンターウエイト４０のリサイクルが可能となる。したがって、長期間の使用に対しても充填材５２の動きが封じ込められ且つリサイクル性を向上したカウンターウエイト４０を得ることができる。
【００３９】
また、本実施形態では、充填材５２に被せた蓋体４４をプレス機によって充填材５２へ押し付ける構成としているので、長期間の使用によってもカウンターウエイト４０内で充填材５２が動いたり、充填材５２の状態が変化したりするのを抑止できる程度に充填材５２を確実に押し付けておくことができる。
【００４０】
また、本実施形態では、充填材５２に被せた蓋体４４をカウンターウエイト本体４２の内側に入り込ませて充填材５２へ押し付けることにより充填材５２を圧縮するようにしているので、蓋体４４で充填材５２を押え付ける際に蓋体４４がカウンターウエイト本体４２の側部４８による支持を受けながら充填材５２を押え付けることができる。このため、カウンターウエイト４０内で充填材５２が動いたり、充填材５２の状態が変化したりするのを抑止できる程度に充填材５２を確実に圧縮することができる。
【００４１】
また、本実施形態では、充填材５２を粒状体のもので構成しているので、粒状体が圧密状態となるような蓋体４４の押圧力を容易に制御することができる。この結果、必要以上の押圧力をかけなくても充填材５２が移動したり状態が変化したりするのを抑止できる程度に充填材５２を押え付けることができる。また、充填材５２が粒状体によって構成されているので、蓋体４４を溶断すれば充填材５２を容易に取り出すことができる。
【００４２】
また、本実施形態では、カウンターウエイト本体４２を振動させながら充填材５２を装填するようにしているので、充填材５２を容易且つ確実に圧密状態に装填することができる。
【００４３】
なお、充填材５２の装填時にカウンターウエイト本体４２を振動させる構成とともに、或いはこの構成に代え、充填材５２を装填した後にカウンターウエイト本体４２を振動させてもよい。この場合には、プレス機によって蓋体４４を押圧する前にカウンターウエイト本体４２を振動させるのが望ましく、可能であればプレス機による押圧時においてもカウンターウエイト本体４２を振動させてもよい。
【００４４】
また、本実施形態において、カウンターウエイト４０の上部（蓋体４４の上）に雨水等が溜まるのを防止すべく、カウンターウエイト４０にカバー（図示省略）を被せる構成としてもよい。
【００４５】
（実施形態２）
前記実施形態１では、プレス機によって蓋体４４を押圧して充填材５２を圧縮する構成としたが、これに代え、蓋体４４を厚板等の重量物によって構成し、蓋体４４の自重によって蓋体４４を沈み込ませて充填材５２を圧縮する構成としてもよい。この場合には、充填材５２との関係で蓋体４４の重量が決まることとなり、蓋体４４は、充填材５２が圧密状態となる程度まで圧縮されるような重量物によって構成されることが必要となる。
【００４６】
このカウンターウエイト４０を製造するには、まず前記実施形態１同様にカウンターウエイト本体４２に充填材５２を装填し、この充填材５２に蓋体４４を被せる。そうすると蓋体４４の自重によって充填材５２が圧縮されて蓋体４４が沈み込む。そして、この沈み込みが完了、即ち充填材５２の圧縮が完了してから蓋体４４をカウンターウエイト本体４２の側部４８に溶接する。
【００４７】
このような構成としても、カウンターウエイト４０内で充填材５２が動いたり、充填材５２の状態が変化したりするのを十分に抑止できる程度に充填材５２を押し付けておくことができる。
【００４８】
尚、その他の構成及び作用効果は説明を省略しているが前記実施形態１と同じである。
【００４９】
（実施形態３）
第３の実施形態として、図３に示すようにカウンターウエイト本体４２と蓋体４４とをボルト締結する構成とすることもできる。この構成では、カウンターウエイト本体４２の底部４６に雌ねじが切られた有底筒状のボス部（図示省略）が設けられる一方、蓋体４４には、ボス部に対応して配置されるボルト挿通孔（図示省略）が設けられる。
【００５０】
このカウンターウエイト４０を製造するには、カウンターウエイト本体４２のボス部に雄ねじ５４を螺合立設し、その状態で充填材５２を装填することとなる。そして、充填材５２に蓋体４４を被せる。このとき蓋体４４のボルト挿通孔に雄ねじ５４を貫通させるようにして蓋体４４を被せる。そして、雄ねじ５４にナット５６を螺合させ、このナット５６をねじ込むことによって蓋体４４はその締結力を受けて充填材５２へ押え付けられて充填材５２を圧縮し、カウンターウエイト本体４２の内側に入り込む。これにより、充填材５２が圧密状態となり、蓋体４４はボルト締結によってカウンターウエイト本体４２に対し固定される。
【００５１】
このような構成とすれば、カウンターウエイト４０内で充填材５２が動いたり、充填材５２の状態が変化したりするのを十分に抑止できる程度に充填材５２を押え付けておくことができる。また、プレス機等の大掛かりな装置が不要となり、簡易な方法で製造できる。また、ボルト締結を解除するのみで、蓋体４４の固定を解除できるので、リサイクル時等に蓋体４４を簡単に取り外すことができる。
【００５２】
尚、その他の構成及び作用効果は説明を省略しているが前記実施形態１と同様である。
【００５３】
（実施形態４）
図４に示すように、蓋体４４と充填材５２とを溶接する構成とすることも可能である。具体的に、蓋体４４には、その適所に貫通孔５８が設けられている。そして、充填材５２がカウンターウエイト本体４２内に装填された後、この充填材５２に蓋体４４を被せ、蓋体４４によって充填材５２を押え付ける。そして、溶加材で蓋体４４の貫通孔５８を塞ぐような状態に蓋体４４を充填材５２に溶接する（栓溶接）。またこのとき、蓋体４４をカウンターウエイト本体４２の側部４８にも溶接する。
【００５４】
本実施形態では、蓋体４４の自重、プレス機による押圧力等によって充填材５２を押え付けることとなるが、充填材５２の一部の粒状体が蓋体４４に溶接されてその動きが拘束されるために、カウンターウエイト４０内で充填材５２が動いたり、充填材５２の状態が変化したりするのを抑止できる程度に充填材５２を押え付ける押圧力を低減することができる。
【００５５】
尚、貫通孔５８は、図例では丸孔としているが、これに限られるものではなく、例えばスリット状の貫通孔５８としてもよい。その他の構成及び作用効果は説明を省略しているが前記実施形態１と同様である。
【図面の簡単な説明】
【００５６】
【図１】本発明の実施形態１に係る油圧ショベルの全体構成を示す側面図である。
【図２】本発明の実施形態１におけるカウンターウエイト本体の側部の一部を切り欠いて示すカウンターウエイトの斜視図である。
【図３】本発明の実施形態３におけるカウンターウエイト本体の側部の一部を切り欠いて示すカウンターウエイトの斜視図である。
【図４】本発明の実施形態４におけるカウンターウエイト本体の側部の一部を切り欠いて示すカウンターウエイトの斜視図である。
【符号の説明】
【００５７】
４０    カウンターウエイト
４２    カウンターウエイト本体
４４    蓋体
５２    充填材
【図１】
2005264431.tif 000003
【図２】
2005264431.tif 000004
【図３】
2005264431.tif 000005
【図４】
2005264431.tif 000006